(57)【要約】【課題】この発明は、知りたい車載装置の詳細情報を視覚的にダイレクトに得ることができるようにすることにある。【解決手段】この発明は、車両に搭載された複数の車載装置が夫々故障あるいは不具合を生じたときに点灯若しくは消灯する警告灯を備えた表示装置を設け、この表示装置のイメージと前記車載装置の故障あるいは不具合情報とを電子的に記憶する記憶手段と、この記憶手段に記憶された前記表示装置のイメージと前記車載装置の故障あるいは不具合情報とを表示するモニタとを備えた車両用情報表示装置において、記憶手段に記憶された表示装置のイメージをモニタに表示させた後、モニタに表示された表示装置のイメージの中で警告灯をモニタ上でタッチすると、モニタの表示を切り換えて警告灯の詳細情報をモニタ上に表示させる詳細情報表示手段を備えていることを特徴とする。【選択図】図１
2006256377.tif 000002
【特許請求の範囲】
【請求項１】
車両に搭載された複数の車載装置が夫々故障あるいは不具合を生じたときに点灯若しくは消灯する警告灯を備えた表示装置を設け、この表示装置のイメージと前記車載装置の故障あるいは不具合情報とを電子的に記憶する記憶手段と、この記憶手段に記憶された前記表示装置のイメージと前記車載装置の故障あるいは不具合情報とを表示するモニタとを備えた車両用情報表示装置において、前記記憶手段に記憶された前記表示装置のイメージを前記モニタに表示させた後、前記モニタに表示された前記表示装置のイメージの中で前記警告灯をモニタ上でタッチすると、前記モニタの表示を切り換えて前記警告灯の詳細情報をモニタ上に表示させる詳細情報表示手段を備えていることを特徴とする車両用情報表示装置。
【請求項２】
前記表示装置は、少なくとも速度計と複数の警告灯とを備えたメータクラスタであることを特徴とする請求項１に記載の車両用情報表示装置。
【発明の詳細な説明】
【技術分野】
【０００１】
この発明は車両用情報表示装置に係り、特に、知りたい車載装置の詳細情報を視覚的にダイレクトに得ることができる車両用情報表示装置に関する。
【背景技術】
【０００２】
車両には、搭載された複数の車載装置が夫々故障あるいは不具合を生じたときに点灯若しくは消灯する警告灯を備えた表示装置を設けている。表示装置は、車両のメータクラスタ内に警告灯を配設し、車載装置が故障あるいは不具合を生じたときに、故障あるいは不具合を生じた車載装置に対応する警告灯を点灯若しくは消灯することにより、車載装置の故障あるいは不具合情報を運転者に通知する。
【０００３】
従来の車両用情報表示装置には、表示装置の表示画面に複数に分けられた取扱説明の内容の１つを選択して表示するとともに、同時に、その表示内容を他の表示内容に切り換えるための操作キー部を表示するようにし、取扱説明の内容を容易に把握できるようにしたものがある。
【特許文献１】特開平９−２３１２２号公報
【０００４】
また、従来の車両用情報表示装置には、車両情報が電子的に記録されるとともにこれら車両情報をディスプレイ上に表示可能とした記録媒体からなる車両用電子マニュアルであって、車両情報が車両状態を表示する静止画像と操作方法を表示する動画情報との組み合わせによって構成されるとともに、各車両情報に対応した音声による解説が組み合わされてなり、かつ、車両情報がディスプレイ上において選択可能とされ、より簡便に操作方法を理解させることができるようにしたものがある。
【特許文献２】特開２００２−１６０５８８号公報
【発明の開示】
【発明が解決しようとする課題】
【０００５】
ところで、車両用情報表示装置においては、警告灯が点灯若しくは消灯した場合に、警告灯の内容が印刷されたマニュアル本を参照することにより、警告灯の意味を知ることができる。
【０００６】
このような内容を説明するマニュアルには、前記内容を紙に印刷して印刷物としたマニュアル本や、前記特許文献１・２のように内容を電子化した電子マニュアル等がある。
【０００７】
ところが、印刷物のマニュアル本を単に電子マニュアル化しただけでは、メータクラスタ上の警告灯のレイアウトとかけ離れたものとなってしまい、直感的に警告灯の種類や意味を判別しにくい問題がある。
【課題を解決するための手段】
【０００８】
この発明は、車両に搭載された複数の車載装置が夫々故障あるいは不具合を生じたときに点灯若しくは消灯する警告灯を備えた表示装置を設け、この表示装置のイメージと前記車載装置の故障あるいは不具合情報とを電子的に記憶する記憶手段と、この記憶手段に記憶された前記表示装置のイメージと前記車載装置の故障あるいは不具合情報とを表示するモニタとを備えた車両用情報表示装置において、前記記憶手段に記憶された前記表示装置のイメージを前記モニタに表示させた後、前記モニタに表示された前記表示装置のイメージの中で前記警告灯をモニタ上でタッチすると、前記モニタの表示を切り換えて前記警告灯の詳細情報をモニタ上に表示させる詳細情報表示手段を備えていることを特徴とする。
【発明の効果】
【０００９】
この発明の車両用情報表示装置は、モニタに表示されている表示装置のイメージの中で警告灯をモニタ上でタッチすると、モニタの表示を切り換えて警告灯の詳細情報をモニタ上に表示させることにより、モニタ上に表示された警告灯のうちで、詳細情報を知りたい警告灯をモニタ上でタッチするだけで詳細情報を得ることができ、どんな車載装置の故障あるいは不具合を通知する警告灯であるかを簡単に知ることができ、知りたい車載装置の詳細情報を視覚的にダイレクトに得ることができる。
【発明を実施するための最良の形態】
【００１０】
この発明の車両用情報表示装置は、モニタに表示されている表示装置のイメージの中で警告灯をモニタ上でタッチすると、モニタの表示を切り換えて警告灯の詳細情報をモニタ上に表示させることにより、モニタ上に表示された警告灯のうちで、詳細情報を知りたい警告灯をモニタ上でタッチするだけで詳細情報を得ることができるものである。
以下図面に基づいて、この発明の実施例を説明する。
【実施例】
【００１１】
図１〜図６は、この発明の実施例を示すものである。図６において、２は図示しない車両のインストルメントパネルに組み付けられる車両用情報表示装置、４はモニタ、６は制御部である。車両用情報表示装置２は、車両に搭載された複数の車載装置（図示せず）が夫々故障あるいは不具合を生じたときに点灯（若しくは消灯）する警告灯８を備えた表示装置１０を設けている。
【００１２】
表示装置１０は、図５に示す如く、少なくとも速度計１２と複数の警告灯８とを備えたメータクラスタ１０からなる。この実施例の表示装置であるメータクラスタ１０は、速度計１２と複数の警告灯８とを備えるとともに回転計１４を備えている。
【００１３】
前記モニタ４は、タッチパネルからなる表示画面１６を備えている。前記制御部６は、記憶手段１８と表示制御手段２０と詳細情報表示手段２２とを備えている。
【００１４】
前記記憶手段１８は、表示装置であるメータクラスタ１０のイメージと車載装置の故障あるいは不具合情報とを電子的に記憶する。記憶手段１８に記憶されたデータは、表示制御手段２０によって前記モニタ４の表示画面１６に表示される。
【００１５】
前記モニタ４は、記憶手段１８に記憶されたメータラスタ１０のイメージと車載装置の故障あるいは不具合情報を示す警告灯８の点灯（若しくは消灯）とを表示する。
【００１６】
また、前記記憶手段１８には、警告灯８の詳細情報を電子的に記録した電子マニュアルデータを記憶してある。電子マニュアルデータは、詳細情報表示手段２２によってモニタ４の画面１６上に表示される。
【００１７】
前記詳細情報表示手段２２は、記憶手段１８に記憶されたメータクラスタ１０のイメージをモニタ４に表示させた後、モニタ４に表示されたメータクラスタ１０のイメージの中で運転者等が警告灯８をモニタ４上でタッチすると、モニタ４のメータクラスタ１０の表示を電子マニュアルデータの表示に切り換えて警告灯８の詳細情報２４をモニタ４上に表示させる。
【００１８】
なお、図５においてモニタ４上の戻るボタン２６は、タッチにより１つ前の表示に戻すためのボタンである。
【００１９】
次に作用を説明する。
【００２０】
車両用情報表示装置２は、図５に示す如く、車載装置が正常であるときに、モニタ４のタッチパネルからなる表示画面１６に記憶手段１８に記憶されたメータラスタ１０のイメージを表示し、車載装置が故障あるいは不具合を生じたときに、警告灯８の点灯（若しくは消灯）を表示する。
【００２１】
この車両用情報表示装置２は、図１に矢印ＩＩで示す如く、モニタ４に表示されたメータクラスタ１０のイメージの中で、運転者等が回転計１４内の複数の警告灯８が表示された部位をモニタ４上でタッチすると、図２に示す如く、タッチされた複数の警告灯８が表示された部位を拡大して表示する。これは、モニタ４の大きさの制限から、複数の警告灯８を大きく表示できないことを考慮したためである。
【００２２】
車両用情報表示装置２は、図２に示す如く、複数の警告灯８が夫々大きく表示されたモニタ４上において、詳細情報の表示を希望する１つの警告灯８にタッチすると、図３に示す如く、モニタ４のメータラスタ１０の表示を電子マニュアルデータの表示に切り換えて、警告灯８の詳細情報２４をモニタ４上に表示させる。なお、図３においてモニタ４上のサービス工場に連絡ボタン２８は、タッチにより既定のサービス工場に連絡するためのボタンである。
【００２３】
このように、車両用情報表示装置２は、モニタ４に表示されているメータクラスタ１０のイメージの中で警告灯８をモニタ４上でタッチすると、モニタ４の表示を切り換えて警告灯８の詳細情報２４をモニタ４上に表示させることにより、モニタ４上に表示された警告灯８のうちで、詳細情報を知りたい警告灯８をモニタ４上でタッチするだけで詳細情報を得ることができ、どんな車載装置の故障あるいは不具合を通知する警告灯８であるかを簡単に知ることができ、知りたい車載装置の詳細情報を視覚的にダイレクトに得ることができる。
【００２４】
また、車両用情報表示装置２は、表示装置１０を少なくとも速度計１２と複数の警告灯８とを備えたメータクラスタ１０とすることにより、たくさんの警告灯８を備えたメータクラスタ１０の機能を簡単に知ることができる。
【００２５】
なお、この実施例においては、メータクラスタ１０の回転計１４内に配設された警告灯８にタッチした場合を説明したが、メータクラスタ１０の速度計１２内に配設された警告灯８にタッチした場合には、図４に示す如く、タッチされた速度計１２内の警告灯８の表示された部位を拡大して表示するものである。
【００２６】
また、この実施例においては、モニタ４の大きさの制限から表示される複数の警告灯８が小さいことを考慮して、メータクラスタ１０のイメージを拡大表示して詳細情報を知りたい警告灯８をタッチさせたが、メータクラスタ１０の拡大表示に代えて、複数の警告灯８を一覧表示して詳細情報を知りたい警告灯８をタッチさせることもできる。
【００２７】
さらに、この実施例においては、警告灯８の詳細情報２４をモニタ４上に画像として表示させたが、警告灯８の詳細情報２４を音声によって発声させて通知することもできる。
【００２８】
なお、この発明は、上述実施例に限定されることなく、種々応用改変が可能である。
【００２９】
例えば、車両用情報表示装置２は、車両走行中に、モニタ４に表示されている警告灯８をモニタ４上でタッチした場合に、モニタ４の表示を警告灯８の詳細情報２４に切り換えずにメータクラスタ１０の表示を継続させ、車両が停車した場合に、モニタ４の表示を切り換えて警告灯８の詳細情報２４を表示させることにより、車両走行中に運転者の視線がいたずらにメータクラスタ１０に集中されることを防止できる。
【００３０】
また、車両用情報表示装置２は、車載装置が故障あるいは不具合を生じて、モニタ４に警告灯８の点灯（若しくは消灯）が表示された場合に、警告灯８をモニタ４上でタッチしなくても、モニタ４の表示を切り換えて警告灯８の詳細情報２４をモニタ４上に表示させることにより、具体的な車載装置の故障あるいは不具合情報を運転者に通知することができる。
【産業上の利用可能性】
【００３１】
この発明の車両用情報表示装置は、モニタ上に表示された警告灯のうちで、詳細情報を知りたい警告灯をモニタ上でタッチするだけで詳細情報を得ることができるものであり、車両ナビゲーション装置や車両取扱説明、オーディオ装置等のモニタの情報表示にも適用することができる。
【図面の簡単な説明】
【００３２】
【図１】車両用情報表示装置の実施例を示すメータクラスタを表示したモニタの正面図である。
【図２】メータクラスタの回転計内の警告灯を拡大表示したモニタの正面図である。
【図３】詳細情報を表示したモニタの正面図である。
【図４】メータクラスタの速度計内の警告灯を拡大表示したモニタの正面図である。
【図５】モニタの拡大正面図である。
【図６】車両用情報表示装置のシステムズ図である。
【符号の説明】
【００３３】
２  車両用情報表示装置
４  モニタ
６  制御部
８  警告灯
１０  表示装置
１２  速度計
１４  回転計
１６  表示画面
１８  記憶手段
２０  表示制御手段
２２  詳細情報表示手段
【図１】
2006256377.tif 000003
【図２】
2006256377.tif 000004
【図３】
2006256377.tif 000005
【図４】
2006256377.tif 000006
【図５】
2006256377.tif 000007
【図６】
2006256377.tif 000008